(57)【要約】【課題】ソフトウェアのアップデート後における医用機器の動作不全を未然に防止することが可能な医用診断装置を提供する。【解決手段】装置ＩＤ取得部３１が装置情報記憶部２１から装置識別情報を取得し、オプション構成情報取得部３２が装置識別情報に対応するオプション構成情報をオプション構成情報データベース４１から取得する。設定情報確認部３３は、オプション構成情報が示すオプション機能を確認し、そのオプション機能を実行するために必要な項目が医用診断装置１にて設定されているか否かの確認を行う。また、試験プラン実行部３６は、取得したオプション構成情報が示すオプション機能の動作確認を行い、正常にその機能が実行されたか否かを判断する。設定情報確認部３３による確認結果、及び試験プラン実行部３６による動作確認の結果は、表示部２３に表示される。【選択図】図１
2007213119.tif 000002
【特許請求の範囲】
【請求項１】
外部に設置され、個々の医用診断装置に搭載されている機能を示すオプション構成情報と前記個々の医用診断装置を特定するための装置識別情報とを対応付けて記憶するオプション構成情報データベースから、自装置の装置識別情報に対応するオプション構成情報を取得するオプション構成情報取得手段と、
前記オプション構成情報が示す機能を試験動作させるための試験プランを記憶する試験プランデータベースと、
前記オプション構成情報取得手段が取得したオプション構成情報に対応する試験プランを前記試験プランデータベースから取得する試験プラン取得手段と、
前記試験プラン取得手段が取得した試験プランに示されている動作を実行してその動作の確認を行う試験プラン実行手段と、
前記試験プラン実行手段による動作の確認結果を表示する表示手段と、
を有することを特徴とする医用診断装置。
【請求項２】
前記試験プラン実行手段は、前記試験プランに示されている動作を実行した結果と、予め設定されている所定の情報とを比較することで、前記動作が正常に実行されたか否かを判断し、
前記表示手段は前記試験プラン実行手段による判断結果を表示することを特徴とする請求項１に記載の医用診断装置。
【請求項３】
前記表示手段は、正常に実行されなかった動作を示す情報、前記試験プラン実行手段の判断の理由、正常に実行されなかった理由、又は操作者が実施すべき操作内容のうち、少なくとも１つ以上の情報を表示することを特徴とする請求項１又は請求項２のいずれかに記載の医用診断装置。
【請求項４】
前記オプション構成情報取得手段が取得したオプション構成情報が示す機能を実行するために設定すべき項目が設定されているか否かを判断する設定情報確認手段を更に有し、
前記表示手段は前記設定情報確認手段による判断の結果を表示することを特徴とする請求項１から請求項３のいずれかに記載の医用診断装置。
【請求項５】
前記搭載されている機能による動作を実行するために設定すべき項目が設定されたことを示す情報を記憶する装置設定情報記憶手段を更に有し、
前記設定情報確認手段は、前記オプション構成情報取得手段が取得したオプション構成情報が示す機能による動作を実行するために設定すべき項目が設定されているか否かを、前記装置設定情報記憶手段に記憶されている情報を基に判断し、
前記表示手段は前記設定情報確認手段による判断の結果を表示することを特徴とする請求項４に記載の医用診断装置。
【請求項６】
前記設定すべき項目が設定されている場合、前記設定情報確認手段は、前記設定されている項目の値又は文字列が所定の値又は所定の文字列に該当するか否かを判断することを特徴とする請求項４又は請求項５のいずれかに記載の医用診断装置。
【請求項７】
前記表示手段は、前記設定情報確認手段による判断の結果の他、前記オプション構成情報取得手段が取得したオプション構成情報が示す機能、前記設定情報確認手段が確認した項目、操作者が実施すべき操作内容、設定の修正方法、又は設定すべき項目が設定されていない場合に発生し得る障害のうち、少なくとも１つ以上の情報を表示することを特徴とする請求項４から請求項６のいずれかに記載の医用診断装置。
【請求項８】
外部に設置され、個々の医用診断装置に搭載されている機能を示すオプション構成情報と前記個々の医用診断装置を特定するための装置識別情報とを対応付けて記憶するオプション構成情報データベースから、自装置の装置識別情報に対応するオプション構成情報を取得するオプション構成情報取得手段と、
前記オプション構成情報取得手段が取得したオプション構成情報が示す機能を実行するために設定すべき項目が設定されているか否かを判断する設定情報確認手段と、
前記設定情報確認手段による判断の結果を表示する表示手段と、
を有することを特徴とする医用診断装置。
【請求項９】
前記搭載されている機能による動作を実行するために設定すべき項目が設定されたことを示す情報を記憶する装置設定情報記憶手段を更に有し、
前記設定情報確認手段は、前記オプション構成情報取得手段が取得したオプション構成情報が示す機能による動作を実行するために設定すべき項目が設定されているか否かを、前記装置設定情報記憶手段に記憶されている情報を基に判断し、
前記表示手段は前記設定情報確認手段による判断の結果を表示することを特徴とする請求項８に記載の医用診断装置。
【請求項１０】
前記設定すべき項目が設定されている場合、前記設定情報確認手段は、前記設定されている項目の値又は文字列が所定の値又は所定の文字列に該当するか否かを判断することを特徴とする請求項８又は請求項９のいずれかに記載の医用診断装置。
【請求項１１】
前記表示手段は、前記設定情報確認手段による判断の結果の他、前記オプション構成情報取得手段が取得したオプション構成情報が示す機能、前記設定情報確認手段が確認した項目、操作者が実施すべき操作内容、設定の修正方法、又は設定すべき項目が設定されていない場合に発生し得る障害のうち、少なくとも１つ以上の情報を表示することを特徴とする請求項８から請求項１０のいずれかに記載の医用診断装置。
【請求項１２】
医用診断装置を特定するための装置識別情報を記憶した装置情報記憶手段から前記装置識別情報を取得する装置識別情報取得ステップと、
個々の医用診断装置に搭載されている機能を示すオプション構成情報と前記個々の医用診断装置の装置識別情報とを対応付けて記憶するオプション構成情報データベースから、前記装置識別情報取得ステップにて取得した装置識別情報に対応するオプション構成情報を取得するオプション構成情報取得ステップと、
前記オプション構成情報が示す機能を試験動作させるための試験プランを記憶する試験プランデータベースから、前記オプション構成情報取得ステップにて取得したオプション構成情報に対応する試験プランを取得する試験プラン取得ステップと、
前記試験プラン取得ステップにて取得した試験プランに示されている動作を前記医用診断装置に実行させ、その動作の確認を行う試験プラン実行ステップと、
前記試験プラン実行ステップにおける動作の確認結果を表示手段に表示する表示ステップと、
を含むことを特徴とする医用診断装置の動作確認方法。
【請求項１３】
前記試験プラン実行ステップでは、前記試験プランに示されている機能を実行した結果と、予め設定されている所定の情報とを比較することで、前記動作が正常に実行されたか否かを判断し、
前記表示ステップでは、前記試験プラン実行ステップでの判断結果を前記表示手段に表示することを特徴とする請求項１２に記載の医用診断装置の動作確認方法。
【請求項１４】
前記表示ステップでは、正常に実行されなかった動作を示す情報、前記試験プラン実行ステップでの判断の理由、正常に実行されなかった理由、又は操作者が実施すべき操作内容のうち、少なくとも１つ以上の情報を前記表示手段に表示することを特徴とする請求項１２又は請求項１３のいずれかに記載の医用診断装置の動作確認方法。
【請求項１５】
前記試験プラン取得ステップ及び前記試験プラン実行ステップの前に、前記オプション構成情報取得ステップにて取得したオプション構成情報が示す機能を実行するために設定すべき項目が設定されているか否かを判断する設定情報確認ステップを更に含み、
前記表示ステップでは、前記設定情報確認ステップにおける確認の結果を前記表示手段に表示することを特徴とする請求項１２から請求項１４のいずれかに記載の医用診断装置の動作確認方法。
【請求項１６】
前記設定情報確認ステップでは、前記オプション構成情報が示す機能による動作を実行するために設定すべき項目が設定されているか否かを、前記搭載されている機能による動作を実行するために設定すべき項目が設定されたことを示す情報が装置設定情報記憶手段に記憶されているか否かによって判断し、
前記表示ステップでは、前記設定情報確認ステップにおける判断の結果を前記表示手段に表示することを特徴とする請求項１５に記載の医用診断装置の動作確認方法。
【請求項１７】
前記設定すべき項目が設定されている場合、前記設定情報確認ステップでは、前記設定されている項目の値又は文字列が所定の値又は所定の文字列に該当するか否かを判断することを特徴とする請求項１５又は請求項１６のいずれかに記載の医用診断装置の動作確認方法。
【請求項１８】
前記表示ステップでは、前記設定情報確認ステップによる判断の結果の他、前記オプション構成情報取得ステップにて取得したオプション構成情報が示す情報、前記設定情報確認ステップにて確認した項目、操作者が実施すべき操作内容、設定の修正方法、又は設定すべき項目が設定されていない場合に発生し得る障害のうち、少なくとも１つ以上の情報を前記表示手段に表示することを特徴とする請求項１５から請求項１７のいずれかに記載の医用診断装置の動作確認方法。
【請求項１９】
医用診断装置を特定するための装置識別情報を記憶した装置情報記憶手段から前記装置識別情報を取得する装置識別情報取得ステップと、
個々の医用診断装置に搭載されている機能を示すオプション構成情報と前記個々の医用診断装置の装置識別情報とを対応付けて記憶するオプション構成情報データベースから、前記装置識別情報取得ステップにて取得した装置識別情報に対応するオプション構成情報を取得するオプション構成情報取得ステップと、
前記オプション構成情報取得ステップにて取得したオプション構成情報が示す機能による動作を実行するために設定すべき項目が設定されているか否かを確認する設定情報確認ステップと、
前記設定情報確認ステップにおける確認の結果を表示手段に表示する表示ステップと、
を含むことを特徴とする医用診断装置の動作確認方法。
【請求項２０】
前記設定情報確認ステップでは、前記オプション構成情報が示す機能による動作を実行するために設定すべき項目が設定されているか否かを、前記搭載されている機能による動作を実行するために設定すべき項目が設定されたことを示す情報が装置設定情報記憶手段に記憶されているか否かによって判断し、
前記表示ステップでは、前記設定情報確認ステップにおける判断の結果を前記表示手段に表示することを特徴とする請求項１９に記載の医用診断装置の動作確認方法。
【請求項２１】
前記設定すべき項目が設定されている場合、前記設定情報確認ステップでは、前記設定されている項目の値又は文字列が所定の値又は所定の文字列に該当するか否かを判断することを特徴とする請求項１９又は請求項２０のいずれかに記載の医用診断装置の動作確認方法。
【請求項２２】
前記表示ステップでは、前記設定情報確認ステップによる判断の結果の他、前記オプション構成情報取得ステップにて取得したオプション構成情報が示す情報、前記設定情報確認ステップにて確認した項目、操作者が実施すべき操作内容、設定の修正方法、又は設定すべき項目が設定されていない場合に発生し得る障害のうち、少なくとも１つ以上の情報を前記表示手段に表示することを特徴とする請求項１９から請求項２１のいずれかに記載の医用診断装置の動作確認方法。
【請求項２３】
試験プラン配信センタが、医用診断装置に設置された、前記医用診断装置を特定するための装置識別情報を記憶した装置情報記憶手段から前記装置識別情報を取得する装置識別情報取得ステップと、
前記試験プラン配信センタが、前記試験プラン配信センタに設置された、個々の医用診断装置に搭載されている機能を示すオプション構成情報と前記個々の医用診断装置の装置識別情報とを対応付けて記憶するオプション構成情報データベースから、前記装置識別情報取得ステップにて取得した装置識別情報に対応するオプション構成情報を取得するオプション構成情報取得ステップと、
前記試験プラン配信センタが、前記試験プラン配信センタに設置された、前記オプション構成情報が示す機能を試験動作させるための試験プランを記憶する試験プランデータベースから、前記オプション構成情報取得ステップにて取得したオプション構成情報に対応する試験プランを取得する試験プラン取得ステップと、
前記試験プラン配信センタが、前記試験プラン取得ステップにて取得した試験プランを前記医用診断装置に配信する配信ステップと、
前記医用診断装置が、前記配信ステップにて配信された試験プランに示されている動作を実行し、その動作の確認を行う試験プラン実行ステップと、
前記試験プラン実行ステップにおける動作の確認結果を表示手段に表示する表示ステップと、
を含むことを特徴とする医用診断装置の動作確認方法。
【発明の詳細な説明】
【技術分野】
【０００１】
この発明は、医用診断装置に組み込まれているソフトウェアをアップデートした後における動作確認を行う技術に関する。
【背景技術】
【０００２】
医用診断装置に組み込まれているソフトウェアをアップデートした後、医用診断装置にインストールしたソフトウェアが正常に動作するか否かを検討したり、他のソフトウェアの動作に影響がないかを検討したりするため、ソフトウェアのアップデート後に医用診断装置の動作確認が行われる。
【０００３】
アップデート後の動作確認の実施方法としては、以下の２つの方法が行われる。
（１）サービスマンが病院などの現地に出向き、医用診断装置にソフトウェアをインストールし、その後、医用診断装置の動作確認を実施する。
（２）医用診断装置とサービスセンタとがネットワークを介して接続されている場合、サービスマンがサービスセンタからネットワークを介して医用診断装置にソフトウェアをインストールし、その後、ネットワークを介して医用診断装置の動作確認を実施する。
【０００４】
また、ソフトウェアのアップデートに伴って新たな機能が医用診断装置に追加されることになるが、新たに追加された機能が正常に実行されるように設定を行う必要がある。
【０００５】
ところが、ソフトウェアのアップデートに伴って医用診断装置に追加される機能はオプションとして販売されているため、病院や医用診断装置ごとで異なったオプションの構成となることが多い。例えば、病院Ａに設置されている医用診断装置には機能Ａが追加されているが、病院Ａと異なる病院Ｂに設置されている医用診断装置には機能Ａと異なる機能Ｂが追加されることがある。
【０００６】
以上のように病院や医用診断装置ごとにオプションの構成が異なるため、サービスマンは病院や医用診断装置ごとに異なるオプション機能（新たに追加された機能）の設定を行い、また、各病院や各医用診断装置のオプション機能に応じて異なる動作確認を行う必要がある。なお、サービスマンは、サービスマニュアル（ソフトウェアアップデート手順書）に従って医用診断装置の動作確認を実施している。
【０００７】
【特許文献１】特開２００４−２６５３０４号公報
【発明の開示】
【発明が解決しようとする課題】
【０００８】
従来においては、サービスマンはソフトウェアアップデート手順書に従ってオプションごとの設定を行っているが、設定を忘れたり設定に間違いが発生したりする危険性は否定できない。
【０００９】
また、サービスマンはソフトウェアアップデート手順書に従い、オプション機能（新たに追加された機能）の各種項目が正しく設定されているか否か、ソフトウェアのアップデートの後も医用診断装置が正常に動作するか否か、について確認を行っているが、手順書の内容の見落としなど、人間に起因するミスによって確認漏れが発生する危険性も否定できない。
【００１０】
一般的に病院や医用診断装置ごとで異なったオプション構成となっているため、オプション機能に応じた各種項目の設定内容の確認、及びオプション機能に応じた動作確認の実施は、非常に煩雑な作業になる。そのため、オプション機能の設定ミスや動作確認の検証ミスなどが発生する場合もあり、ソフトウェアのアップデートに起因する医用診断装置の動作不全の改善が望まれている。
【００１１】
この発明は上記の問題点を解決するものであり、ソフトウェアのアップデート後における医用機器の動作不全を未然に防止することが可能な医用診断装置、及び医用診断装置の動作確認方法を提供することを目的とする。
【課題を解決するための手段】
【００１２】
請求項１に記載の発明は、外部に設置され、個々の医用診断装置に搭載されている機能を示すオプション構成情報と前記個々の医用診断装置を特定するための装置識別情報とを対応付けて記憶するオプション構成情報データベースから、自装置の装置識別情報に対応するオプション構成情報を取得するオプション構成情報取得手段と、前記オプション構成情報が示す機能を試験動作させるための試験プランを記憶する試験プランデータベースと、前記オプション構成情報取得手段が取得したオプション構成情報に対応する試験プランを前記試験プランデータベースから取得する試験プラン取得手段と、前記試験プラン取得手段が取得した試験プランに示されている動作を実行してその動作の確認を行う試験プラン実行手段と、前記試験プラン実行手段による動作の確認結果を表示する表示手段と、を有することを特徴とする医用診断装置である。
【００１３】
請求項８に記載の発明は、外部に設置され、個々の医用診断装置に搭載されている機能を示すオプション構成情報と前記個々の医用診断装置を特定するための装置識別情報とを対応付けて記憶するオプション構成情報データベースから、自装置の装置識別情報に対応するオプション構成情報を取得するオプション構成情報取得手段と、前記オプション構成情報取得手段が取得したオプション構成情報が示す機能を実行するために設定すべき項目が設定されているか否かを判断する設定情報確認手段と、前記設定情報確認手段による判断の結果を表示する表示手段と、を有することを特徴とする医用診断装置である。
【００１４】
請求項１２に記載の発明は、医用診断装置を特定するための装置識別情報を記憶した装置情報記憶手段から前記装置識別情報を取得する装置識別情報取得ステップと、個々の医用診断装置に搭載されている機能を示すオプション構成情報と前記個々の医用診断装置の装置識別情報とを対応付けて記憶するオプション構成情報データベースから、前記装置識別情報取得ステップにて取得した装置識別情報に対応するオプション構成情報を取得するオプション構成情報取得ステップと、前記オプション構成情報が示す機能を試験動作させるための試験プランを記憶する試験プランデータベースから、前記オプション構成情報取得ステップにて取得したオプション構成情報に対応する試験プランを取得する試験プラン取得ステップと、前記試験プラン取得ステップにて取得した試験プランに示されている動作を前記医用診断装置に実行させ、その動作の確認を行う試験プラン実行ステップと、前記試験プラン実行ステップにおける動作の確認結果を表示手段に表示する表示ステップと、を含むことを特徴とする医用診断装置の動作確認方法である。
【００１５】
請求項１９に記載の発明は、医用診断装置を特定するための装置識別情報を記憶した装置情報記憶手段から前記装置識別情報を取得する装置識別情報取得ステップと、個々の医用診断装置に搭載されている機能を示すオプション構成情報と前記個々の医用診断装置の装置識別情報とを対応付けて記憶するオプション構成情報データベースから、前記装置識別情報取得ステップにて取得した装置識別情報に対応するオプション構成情報を取得するオプション構成情報取得ステップと、前記オプション構成情報取得ステップにて取得したオプション構成情報が示す機能による動作を実行するために設定すべき項目が設定されているか否かを確認する設定情報確認ステップと、前記設定情報確認ステップにおける確認の結果を表示手段に表示する表示ステップと、を含むことを特徴とする医用診断装置の動作確認方法である。
【００１６】
請求項２３に記載の発明は、試験プラン配信センタが、医用診断装置に設置された、前記医用診断装置を特定するための装置識別情報を記憶した装置情報記憶手段から前記装置識別情報を取得する装置識別情報取得ステップと、前記試験プラン配信センタが、前記試験プラン配信センタに設置された、個々の医用診断装置に搭載されている機能を示すオプション構成情報と前記個々の医用診断装置の装置識別情報とを対応付けて記憶するオプション構成情報データベースから、前記装置識別情報取得ステップにて取得した装置識別情報に対応するオプション構成情報を取得するオプション構成情報取得ステップと、前記試験プラン配信センタが、前記試験プラン配信センタに設置された、前記オプション構成情報が示す機能を試験動作させるための試験プランを記憶する試験プランデータベースから、前記オプション構成情報取得ステップにて取得したオプション構成情報に対応する試験プランを取得する試験プラン取得ステップと、前記試験プラン配信センタが、前記試験プラン取得ステップにて取得した試験プランを前記医用診断装置に配信する配信ステップと、前記医用診断装置が、前記配信ステップにて配信された試験プランに示されている動作を実行し、その動作の確認を行う試験プラン実行ステップと、前記試験プラン実行ステップにおける動作の確認結果を表示手段に表示する表示ステップと、を含むことを特徴とする医用診断装置の動作確認方法である。
【発明の効果】
【００１７】
この発明によると、個々の医用診断装置に搭載されている機能を示すオプション構成情報に基づいて、医用診断装置に搭載されている機能の設定項目が正しく設定されているか否かの判断を行うことにより、個々の医用診断装置に搭載されているオプション機能ごとに設定項目の確認を行うことができる。そのことにより、オプション機能の設定ミスを防止し、医用診断装置の動作不全を未然に防止することが可能となる。
【００１８】
また、この発明によると、医用診断装置に搭載されている機能に応じた動作確認を実施することで動作確認のミスを防止し、医用診断装置の動作不全を未然に防止することが可能となる。
【発明を実施するための最良の形態】
【００１９】
［第１の実施の形態］
（構成）
この発明の第１の実施形態に係る医用診断装置の構成について図１を参照して説明する。図１は、この発明の第１の実施形態に係る医用診断装置の構成を示すブロック図である。
【００２０】
医用診断装置１とサービスセンタ４とはネットワークを介して接続されている。図中、サービスセンタ４には１つの医用診断装置１のみが接続されているが、複数の医用診断装置が接続されていても良い。医用診断装置１は、Ｘ線ＣＴ装置、ＭＲＩ装置、又は超音波診断装置などが該当する。
【００２１】
サービスセンタ４にはオプション構成情報データベース４１が備えられている。オプション構成情報データベース４１には、各医用診断装置１に追加されているオプション機能を示す情報（以下、「オプション構成情報」と称する場合がある）が記憶されている。つまり、各病院や各医用診断装置１において、どのようなオプション機能が購入されて医用診断装置１に組み込まれているかを示す情報がオプション構成情報データベースに記憶されている。このオプション構成情報は、医用診断装置１を特定するための装置識別情報に対応付けられてオプション構成情報データベース４１に記憶されている。これにより、装置識別情報を検索キーとして各医用診断装置１に追加されているオプション機能を検索することができる。
【００２２】
医用診断部２は、被検体を撮影することで医用画像データを収集する。動作確認部３は、医用診断装置１に追加されているオプション機能を実行するための設定項目の確認や、医用診断装置１の動作確認を行う。
【００２３】
装置情報記憶部２１には、医用診断装置１を特定するための装置識別情報が記憶されている。装置識別情報として、例えば、医用診断装置１のシリアルＩＤ、マックアドレス、装置名、モダリティ名、又は組み込まれているソフトェアのバージョンなどを用いることができる。これらの識別情報は、サービスセンタ４が認証できる固有の情報である。
【００２４】
装置ＩＤ取得部３１は、装置情報記憶部２１に記憶されている装置識別情報を取得してオプション構成情報取得部３２に送る。
【００２５】
オプション構成情報取得部３２は、装置ＩＤ取得部３１によって取得された装置識別情報を検索キーとして、サービスセンタ４にて管理されているオプション構成情報データベース４１を検索し、その装置識別情報に対応付けられているオプション構成情報をネットワーク経由で取得する。そして、オプション構成情報取得部３２はオプション構成情報を設定情報確認部３３と試験プラン決定部３５に送る。
【００２６】
装置設定情報記憶部２２には、オプション機能ごとに設定が必要な項目の設定（環境設定）がされているか否かを示す情報、及び、設定がされている場合は設定された値や文字列が記憶されている。オプション機能の設定（環境設定）が行われることにより、医用診断装置１においてそのオプション機能を正常に動作させることができる。
【００２７】
ここでオプション機能について説明する。医用診断装置１には、例えばＤＩＣＯＭ規格に準拠した機能が追加される。例えば、「ＤＩＣＯＭ  ＫｉｔオプションＡ」には、ＤＩＣＯＭ規格に準拠した「Ｓｔｏｒａｇｅ  Ｃｏｍｍｉｔｍｅｎｔ機能」、「ＭＷＭ機能」、及び「ＭＰＰＳ機能」というオプション機能が含まれているものとする。また、「ＤＩＣＯＭ  ＫｉｔオプションＡ」と異なる「ＤＩＣＯＭ  ＫｉｔオプションＢ」には、「ＤＩＣＯＭ  ＫｉｔオプションＡ」に含まれている「Ｓｔｏｒａｇｅ  Ｃｏｍｍｉｔｍｅｎｔ機能」などのオプション機能が含まれていないものとする。「ＤＩＣＯＭ  ＫｉｔオプションＡ」がインストールされている医用診断装置では、上記の各機能を動作させるための各種設定がされる必要がある。そして、各オプション機能の設定がなされると、オプション機能を実行するために必要な項目が設定されたことを示す情報、及び、設定された値や文字列が装置設定情報記憶部２２に記憶される。
【００２８】
機能の１例として「Ｓｔｏｒａｇｅ  Ｃｏｍｍｉｔｍｅｎｔ機能」について説明する。この機能は画像データなどの保管状況を知らせる機能であり、この機能を正常に動作させるためには、医用診断装置１において通信の相手側とのネットワークの設定を行う必要がある。例えば、通信の相手側の名称を示す「Ｓｔｏｒａｇｅ先のＡＥ  Ｔｉｔｌｅ」、利用するポート番号、ＩＰアドレス、及びＧａｔｅ  Ｗａｙなどの項目を医用診断装置１において設定する必要がある。これらの項目が正常に設定されることで、「Ｓｔｏｒａｇｅ  Ｃｏｍｍｉｔｍｅｎｔ機能」が医用診断装置１上で正常に動作することになる。なお、各機能の設定はサービスマンやユーザなどによって行われる。医用診断装置１に設定されている操作部（図示しない）を用いて各項目に値や文字列が入力されることで、各項目の設定が行われる。そして、「Ｓｔｏｒａｇｅ先のＡＥ  Ｔｉｔｌｅ」などの項目が設定されると、「Ｓｔｏｒａｇｅ  Ｃｏｍｍｉｔｍｅｎｔ機能」を実行するために必要な項目が設定されたことを示す情報、及び、各項目に設定された値や文字列が装置設定情報記憶部２２に記憶される。
【００２９】
設定情報確認部３３は、オプション構成情報取得部３２からオプション構成情報を受けると、そのオプション構成情報を参照して医用診断装置１に設定されるべき項目を確認する。例えば、オプション構成情報に「Ｓｔｏｒａｇｅ  Ｃｏｍｍｉｔｍｅｎｔ機能」が含まれている場合、設定情報確認部３３は、この機能を実行するために医用診断装置１にて設定すべき項目（例えば、「Ｓｔｏｒａｇｅ先のＡＥ  Ｔｉｔｌｅ」や利用するポート番号など）を確認する。
【００３０】
そして、設定情報確認部３３はオプション構成情報を基にして、装置設定情報記憶部２２に必要な項目が設定されていることを示す情報が記憶されているか否かを判断する。装置設定情報記憶部２２に必要な項目が設定されていることを示す情報が記憶されていない場合、設定情報確認部３３は必要な項目が設定されていないと判断する。一方、装置設定情報記憶部２２に必要な項目が設定されていることを示す情報が記憶されている場合、設定情報確認部３３は必要な項目が設定されていると判断する。
【００３１】
さらに、オプション機能を実行するために必要な項目が設定されていると判断した場合、設定情報確認部３３は、設定された値又は文字列が適切な値又は文字列か否かの判断を行う。換言すると、設定情報確認部３３は、オプション機能ごとの設定項目に適切な値や文字列が入力されて装置設定情報記憶部２２に記憶されているか否かを判断する。
【００３２】
例えば、オプション構成情報に、オプション機能ごとの適切な設定値や設定文字列を含ませておく。設定情報確認部３３は、オプション構成情報に含まれる適切な設定値や設定文字列と、設定情報記憶部２２に記憶されている設定値や設定文字列とを比較し、設定情報記憶部２２に記憶されている設定値や設定文字列が適切な値や文字列か否かを判断する。
【００３３】
例えば、オプション構成情報に「Ｓｔｏｒａｇｅ  Ｃｏｍｍｉｔｍｅｎｔ機能」が含まれている場合、設定情報確認部３３は、そのオプション機能を実行するために必要な項目（例えば、「Ｓｔｏｒａｇｅ先のＡＥ  Ｔｉｔｌｅ」やポート番号など）が設定されたことを示す情報が装置設定情報記憶部２２に記憶されているか否かを判断する。設定情報記憶部２２に、そのオプション機能を実行するために必要な項目が設定されたことを示す情報が記憶されている場合、設定情報確認部３３は、必要な項目が設定されていると判断し、設定されたことを示す情報が記憶されていない場合は、必要な項目が設定されていないと判断する。さらに、必要な項目が設定されていると判断した場合は、設定情報確認部３３は、「Ｓｔｏｒａｇｅ先のＡＥ  Ｔｉｔｌｅ」や利用するポート番号などに設定された値や文字列が適切な値又は文字列か否かの判断を行う。例えば、オプション構成情報に含まれる適切な設定値や設定文字列と、設定情報記憶部２２に記憶されている設定値や設定文字列とを比較し、設定された値や文字列が適切な値又は文字列か否かの判断を行う。
【００３４】
以上のように、オプション機能を実行するために必要な項目が設定されているか否かの判断や、適切な設定値や文字列が設定されているか否かの判断を、オプション構成情報に基づいて個々の医用診断装置１に追加されているオプション機能ごとに自動的に行うことで、操作者（サービスマン）による設定項目の確認作業の負担を軽減することができる。そのことにより、オプション機能ごとに必要な項目の設定ミスを防止することができ、医用診断装置１の動作不全を未然に防止することができる。
【００３５】
設定情報確認部３３は判断結果を表示部２３に送る。医用診断装置１においてオプション機能を実行するために必要な項目が設定されていないと判断した場合、設定情報確認部３３は、オプション機能を実行するために必要な項目が設定されていないことを示す情報を表示部２３に送る。また、医用診断装置１において設定されている値や文字列に誤りがあると判断した場合、設定情報確認部３３は、誤りが確認された項目を示す情報を表示部２３に送る。一方、オプション機能を実行するために必要な項目に適切な設定がなされていると判断した場合、設定情報確認部３３は、設定項目に問題がないことを示す情報を表示部２３に送る。
【００３６】
表示部２３は設定情報確認部３３から送られる情報を表示する。表示部２３は、例えば、（１）医用診断装置１に組み込まれているオプション機能の名称、（２）設定情報確認部３３によって確認された設定項目、（３）その確認の結果、（４）操作者（サービスマン）が次に行うべき操作内容、（５）設定項目に誤りがある場合は誤りがある項目、（６）設定に誤りがある項目の修正方法、（７）設定に誤りがある場合に生じる障害などを表示する。これらの情報は設定情報確認部３３から送られて表示部２３に表示される。また、これらの情報を動作確認情報のログ（履歴）として記録しても良い。
【００３７】
この表示例について図３を参照して説明する。図３は表示部に表示される画面の１例を示す図である。ここでは、医用診断装置１に「Ｓｔｏｒａｇｅ  Ｃｏｍｍｉｔｍｅｎｔ機能」が追加されている状態で、設定情報確認部３３がその「Ｓｔｏｒａｇｅ  Ｃｏｍｍｉｔｍｅｎｔ機能」の設定項目を確認した場合について説明する。設定情報確認部３３によって確認された結果（判断結果）は設定情報確認結果の欄に表示される。
【００３８】
「Ｓｔｏｒａｇｅ  Ｃｏｍｍｉｔｍｅｎｔ機能」を実行させるためには、医用診断装置１においてネットワークの設定を行う必要があり、上述したように、「Ｓｔｏｒａｇｅ先のＡＥ  Ｔｉｔｌｅ」、利用するポート番号、ＩＰアドレス、及びＧａｔｅ  Ｗａｙ等の項目を設定する必要がある。
【００３９】
適切な値や文字列が設定されている項目については、設定に問題がないことを示す「レ」マークが表示部２３に表示される。例えば、「Ｈｏｓｔ  Ｎａｍｅ」、「ＡＥ  Ｔｉｔｌｅ」及び「Ｇａｔｅｗａｙ」の項目については、設定情報確認部３３によって適切な値や文字列が設定されていると判断されているため、「レ」マークが表示部２３に表示されている。
【００４０】
一方、設定されている値や文字列に誤りがある項目については、設定に問題があることを示す「Ｆａｉｌ」マークが表示部２３に表示される。例えば、「ＩＰ  Ａｄｄｒｅｓｓ」の項目については、設定情報確認部３３によって設定されている値や文字列に誤りがあると判断されているため、「Ｆａｉｌ」マークが表示部２３に表示されている。
【００４１】
さらに、表示部２３に設定情報の確認結果としての総合結果を表示しても良い。図３に示す例においては、「ＩＰ  Ａｄｄｒｅｓｓ」の設定に誤りがあるため、総合結果として「Ｆａｉｌ」と表示部２３に表示される。
【００４２】
また、表示部２３に、操作者（サービスマン）が次に行うべき操作内容を表示しても良い。図３に示す例では、「ＩＰ  Ａｄｄｒｅｓｓ」の設定に誤りがあるため、次に行うべき操作内容として「ＩＰ  Ａｄｄｒｅｓｓを再設定してください。」と表示部２３に表示される。操作者（サービスマン）は、この表示を参照することで、次に行うべき操作を容易に認識することができる。さらに、操作者（サービスマン）が行うべき操作の手順（修正手順）を表示部２３に表示しても良い。
【００４３】
さらに、表示部２３に、詳細情報として、設定情報を確認した日時（発生時刻）や、設定に誤りがある場合の障害などを表示しても良い。障害として例えば、「ＩＰ  Ａｄｄｒｅｓｓ未設定により、ＲＩＳサーバから検査画像を取得できません。」などと表示する。
【００４４】
試験プランデータベース３４には、オプション機能ごとに実施すべき動作を示す試験プランが記憶されている。この試験プランには、実施すべき動作とその手順（ワークフロー）が記述されている。試験プラン決定部３５は、オプション構成情報取得部３２から送られるオプション構成情報を検索キーとして試験プランデータベース３４を参照し、動作確認の試験として実施すべき試験プランを取得し、その試験プランを試験プラン実行部３６に送る。
【００４５】
ここで、オプション機能ごとに確認すべき動作について図２を参照して説明する。図２は、オプション機能ごとに確認すべき動作の１例を示す図である。図２に示す例では、各オプション機能を追加することで医用診断装置１が扱うことが可能な画像データの規格を示している。図２の表において、「×」が付されている規格はそのオプション機能ではサポートされていないことを示し、「○」が付されている規格はそのオプション機能によってサポートされていることを示している。
【００４６】
まず、ネットワークによる画像データの転送に関する機能について、図２（ａ）を参照して説明する。例えば医用診断装置１にオプション機能が追加されていない場合、ＤＩＣＯＭ規格の静止画、ＪＰＥＧなどの静止画、ＤＩＣＯＭ規格の動画、及びＡＶＩ規格の動画についてはサポートされておらず、医用診断装置１はこれらの静止画及び動作をネットワーク経由で画像サーバなどの他の装置に転送することができない。
【００４７】
一方、「ＤＩＣＯＭ  ＫｉｔオプションＡ」については、ＤＩＣＯＭ規格の静止画がサポートされているため、この「ＤＩＣＯＭ  ＫｉｔオプションＡ」が追加されている医用診断装置１は、ＤＩＣＯＭ規格の静止画をネットワーク経由で他の装置に転送することができる。一方、ＪＰＥＧなどの静止画、ＤＩＣＯＭ規格の動画、及びＡＶＩ規格の動画についてはサポートされていないため、医用診断装置１はＪＰＥＧの静止画などをネットワーク経由で他の装置に転送することができない。このオプション機能（「ＤＩＣＯＭ  ＫｉｔオプションＡ」）が追加されている医用診断装置１においてはＤＩＣＯＭ規格の静止画をネットワーク経由で転送することができるため、動作確認として、ＤＩＣＯＭ規格の静止画をサポートしているか否かを確認するための試験を実施することになる。
【００４８】
「ＤＩＣＯＭ  ＫｉｔオプションＡ」については、ＤＩＣＯＭ規格の静止画をサポートしているか否かを確認するための動作とその手順（ワークフロー）が試験プランとして試験プランデータベース３４に記憶されている。試験プラン決定部３５は、オプション構成情報（「ＤＩＣＯＭ  ＫｉｔオプションＡ」を示す情報）を検索キーとして、試験プランデータベース３４から「ＤＩＣＯＭ  ＫｉｔオプションＡ」用の試験プランを取得し、その試験プランを試験プラン実行部３６に送る。
【００４９】
また、「ＤＩＣＯＭ  ＫｉｔオプションＢ」については、ＤＩＣＯＭ規格の静止画と動画がサポートされているため、この「ＤＩＣＯＭ  ＫｉｔオプションＢ」が追加されている医用診断装置１は、ＤＩＣＯＭ規格の静止画及び動画をネットワーク経由で他の装置に転送することができる。一方、ＪＰＥＧなどの静止画とＡＶＩ規格の動画についてはサポートされていないため、医用診断装置１はＪＰＥＧの静止画などをネットワーク経由で他の装置に転送することができない。このオプション機能（「ＤＩＣＯＭ  ＫｉｔオプションＢ」）が追加されている医用診断装置１においてはＤＩＣＯＭ規格の静止画及び動画をネットワーク経由で転送することができるため、動作確認として、ＤＩＣＯＭ規格の静止画及び動画をサポートしているか否かを確認するための試験を実施することになる。
【００５０】
「ＤＩＣＯＭ  ＫｉｔオプションＢ」については、ＤＩＣＯＭ規格の静止画と動画をサポートしているか否かを確認するための動作とその手順（ワークフロー）が試験プランとして試験プランデータベース３４に記憶されている。試験プラン決定部３５は、オプション構成情報（「ＤＩＣＯＭ  ＫｉｔオプションＢ」を示す情報）を検索キーとして、試験プランデータベース３４から「ＤＩＣＯＭ  ＫｉｔオプションＢ」用の試験プランを取得し、その試験プランを試験プラン実行部３６に送る。
【００５１】
その他、画像データの転送先ごとにサポートされている機能が異なる場合があるため、転送先ごとに動作確認を行う必要がある。例えば、ＣＤ−Ｒに画像データを転送する機能について、図２（ｂ）を参照して説明する。医用診断装置１にオプション機能が追加されていない場合、医用診断装置１は、その状態であってもＪＰＥＧなどの静止画、及びＡＶＩ規格の動画をＣＤ−Ｒに転送することができる。
【００５２】
一方、「ＤＩＣＯＭ  ＫｉｔオプションＡ」については、ＤＩＣＯＭ規格の静止画、ＪＰＥＧなどの静止画、及びＡＶＩ規格の動画がサポートされているため、この「ＤＩＣＯＭ  ＫｉｔオプションＡ」が追加されている医用診断装置１は、ＤＩＣＯＭ規格の静止画、ＪＰＥＧなどの静止画、及びＡＶＩ規格の動画をＣＤ−Ｒに転送することができる。従って、このオプション機能（「ＤＩＣＯＭ  ＫｉｔオプションＡ」）が追加されている医用診断装置１においては、動作確認として、ＤＩＣＯＭ規格の静止画、ＪＰＥＧなどの静止画、及びＡＶＩ規格の動画をサポートしているか否かを確認するための試験を実施することになる。
【００５３】
また、「ＤＩＣＯＭ  ＫｉｔオプションＢ」については、ＤＩＣＯＭ規格の静止画と動画、ＪＰＥＧなどの静止画、及びＡＶＩ規格の動画がサポートされているため、この「ＤＩＣＯＭ  ＫｉｔオプションＢ」が追加されている医用診断装置１は、ＤＩＣＯＭ規格の静止画と動画、ＪＰＥＧなどの静止画、及びＡＶＩ規格の動画をＣＤ−Ｒに転送することができる。従って、このオプション機能（「ＤＩＣＯＭ  ＫｉｔオプションＢ」）が追加されている医用診断装置１においては、動作確認として、ＤＩＣＯＭ規格の静止画と動画、ＪＰＥＧなどの静止画、及びＡＶＩ規格の動画をサポートしているか否かを確認するための試験を実施することになる。
【００５４】
図２では、ネットワークを介しての画像データの転送と、ＣＤ−Ｒへの画像データの転送について説明したが、他の種類の記録装置への画像データの転送についても、オプション機能ごとにサポートしている画像データの規格が異なり、オプション機能ごとに確認すべき動作も異なってくる。また、この実施形態では画像データの転送を例にして説明したが、画像データの転送以外のオプション機能についても、オプション機能ごとに試験プランが用意され、オプション構成情報を検索キーとして試験プランデータベース３４から取得することができる。
【００５５】
試験プラン実行部３６は、試験プラン決定部３５によって取得された試験プランを読み込んで、医用診断装置１の各部を制御して試験プランに含まれる動作を手順（ワークフロー）に従って医用診断装置１に実行させる。
【００５６】
以上のように、個々の医用診断装置１に追加されているオプション機能を示すオプション構成情報に基づいて試験プランを取得し、その試験プランを実行することで個々の医用診断装置１に追加されているオプション機能に応じた動作確認を行うことが可能となる。これにより、操作者（サービスマン）による動作確認の作業の負担を軽減することができ、動作確認の検証ミスを減少させることが可能となる。
【００５７】
また、試験プラン実行部３６は、試験プランに含まれるある動作が実行されると、正常にその動作が実行されたか否かを判断し、その判断結果を表示部２３に送る。正常に動作したか否かの判断は、例えば予め設定されたデータと比較することにより行う。
【００５８】
試験が正常に実行されない場合は、動作プラン実行部３６は表示部２３に、（１）不当と判断された動作を示す情報、（２）不当と判断された理由を示す情報、（３）不当な動作に陥った原因を示す情報、（４）操作者が次に行うべき操作内容などを送る。また、これらの情報を動作確認情報のログ（履歴）として記録しても良い。
【００５９】
表示部２３は試験プラン実行部３６から判断結果などを示す情報を受けると、それらの情報を表示する。ここで、表示部２３に表示される判断結果などの１例について図３を参照して説明する。ここでは、画像データの転送に関する機能について動作確認を行った場合について説明する。試験プラン実行部３６によって確認された結果（判断結果）は動作確認結果の欄に表示される。
【００６０】
ある動作が正常に実行された場合は、その動作が正常に実行されたことを示す「レ」マークが表示部２３に表示される。一方、ある動作が正常に実行されない場合は、その動作が正常に実行されなかったことを示す「Ｆａｉｌ」マークが表示部２３に表示される。
【００６１】
例えば、画像データを画像サーバに転送する機能については、静止画データ、ＤＩＣＯＭ動画データ及びＡＶＩ動画データの転送に失敗しているため、動作が正常に実行されなかったことを示す「Ｆａｉｌ」マークが表示部２３に表示される。一方、画像データをＣＤ−Ｒに転送する機能については、静止画データ、ＤＩＣＯＭ動画データ、及びＡＶＩ動画データの転送に成功しているため、動作が正常に実行されたことを示す「レ」マークが表示部２３に表示されている。
【００６２】
さらに、表示部２３に、動作確認の結果として総合結果を表示しても良い。図３に示す例においては、画像サーバへの画像データの転送に失敗しているため、総合結果として「Ｆａｉｌ」と表示部２３に表示される。
【００６３】
また、表示部２３に、操作者（サービスマン）が次に行うべき操作内容を表示しても良い。図３に示す例では、画像サーバへの画像データの転送に失敗しているため、次に行うべき操作内容として「ＩＰ  Ａｄｄｒｅｓｓを再設定してください。」と表示部２３に表示される。操作者（サービスマン）は、この表示を参照することで、次に行うべき操作を容易に認識することができる。さらに、操作者（サービスマン）が行うべき操作の手順（修正手順）を表示部２３に表示しても良い。
【００６４】
さらに、表示部２３に、詳細情報として、動作確認を行った日時や、ある動作が正常に実行されないことによる障害について表示しても良い。障害として例えば、「ＩＰ  Ａｄｄｒｅｓｓ未設定により、ＲＩＳサーバから検査画像を取得できません。」などと表示部２３に表示する。
【００６５】
なお、医用診断装置１はＣＰＵなどの演算装置を備えており、動作確認用プログラムを読み込むことにより、装置ＩＤ取得部３１、オプション構成情報取得部３２、設定情報確認部３３、試験プラン決定部３５、及び試験プラン実行部３６の機能を実行する。この動作確認用プログラムは、ソフトウェアアップデート用のインストールメディアに含まれていて、ソフトウェアのアップデートと同時に医用診断装置１にインストールされても良く、ソフトウェアアップデート用のインストールメディア以外のメディアに記録されていて、ソフトウェアのアップデートと別に医用診断装置１にインストールされても良い。
【００６６】
また、試験プランデータベース３４に格納されている試験プランは、動作確認用プログラムと同様にソフトウェアアップデート用のインストールメディアに含まれていても良く、動作確認用プログラムが含まれている他のメディアに含まれていても良い。そして、試験プランは、動作確認用プログラムとともに医用診断装置１にインストールされる。
【００６７】
（動作）
次に、この発明の第１の実施形態に係る医用診断装置による一連の動作（医用診断装置の動作確認方法）について図４を参照して説明する。図４は、この発明の第１の実施形態に係る医用診断装置の一連の動作を示すフローチャートである。
【００６８】
（ステップＳ０１）
まず、ステップＳ０１では、医用診断装置１に新たなオプション機能を追加し、医用診断装置１に組み込まれているソフトウェアをアップデートする。例えば、サービスマンが、ソフトウェアアップデート用のインストールメディアを使って新たなオプション機能を医用診断装置１に追加する。このとき、ソフトウェアのアップデートと同時に動作確認用プログラムと試験プランを医用診断装置１にインストールしても良く、ソフトウェアのアップデートと別にインストールしても良い。
【００６９】
ステップＳ０１でのソフトウェアのアップデートが終了し、サービスマンが図示しない操作部を用いて動作確認の指示を医用診断装置１に与えると、動作確認部３は医用診断装置１の動作確認のための処理を実行する。
【００７０】
（ステップＳ０２）
動作確認の指示がなされると、装置ＩＤ取得部３１が、装置情報記憶部２１に記憶されているシリアルＩＤなどの装置識別情報を取得してオプション構成情報取得部３２に送る。
【００７１】
（ステップＳ０３）
ステップＳ０３では、オプション構成情報取得部３２がネットワークを介してサービスセンタ４にアクセスし、装置ＩＤ取得部３１によって取得された装置識別情報を検索キーとして、サービスセンタ４にて管理されているオプション構成情報データベース４１を検索し、その装置識別情報に対応付けられているオプション構成情報を取得する。そして、オプション構成情報取得部３２は取得したオプション構成情報を設定情報確認部３３と試験プラン決定部３５に送る。
【００７２】
（ステップＳ０４）
ステップＳ０４では、設定情報確認部３３が、オプション構成情報取得部３２によって取得されたオプション構成情報を参照して医用診断装置１に設定されるべき項目を確認する。例えば、オプション構成情報に「Ｓｔｏｒａｇｅ  Ｃｏｍｍｉｔｍｅｎｔ機能」というオプション機能が含まれている場合は、設定情報確認部３３は、その機能を実行するために医用診断装置１にて設定すべき項目を確認する。このオプション機能の場合、例えば、通信相手側の名称を示す「Ｓｔｏｒａｇｅ先のＡＥ  Ｔｉｔｌｅ」、利用するポート番号、及びＧａｔｅ  Ｗａｙなどの項目を医用診断装置１にて設定する必要があり、これらの項目が正常に設定されることで、「Ｓｔｏｒａｇｅ  Ｃｏｍｍｉｔｍｅｎｔ機能」が医用診断装置１上で正常に動作することになる。この例では、設定情報確認部３３は「Ｓｔｏｒａｇｅ  Ｃｏｍｍｉｔｍｅｎｔ機能」を実行するために設定すべき項目を確認する。
【００７３】
（ステップＳ０５）
ステップＳ０５では、設定情報確認部３３が、医用診断装置１にてオプション構成に対応した項目の設定がなされているか否かの判断を行う。つまり、設定情報確認部３３は、オプション構成情報所得部３２によって取得されたオプション構成情報を基にして、装置設定情報記憶部２２に必要な項目が設定されていることを示す情報が記憶されているか否かを判断する。
【００７４】
例えば、オプション構成情報に「Ｓｔｏｒａｇｅ  Ｃｏｍｍｉｔｍｅｎｔ機能」が含まれている場合は、設定情報確認部３３は、そのオプション機能を実行するための項目（例えば、「Ｓｔｏｒａｇｅ先のＡＥ  Ｔｉｔｌｅ」やポート番号など）が設定されたことを示す情報が装置設定情報記憶部２２に記憶されているか否かを判断する。「Ｓｔｏｒａｇｅ先のＡＥ  Ｔｉｔｌｅ」やポート番号などが設定されたことを示す情報が装置設定情報記憶部２２に記憶されている場合、設定情報確認部３３は、必要な項目が設定されていると判断し、設定されたことを示す情報が記憶されていない場合は、必要な項目が設定されていないと判断する。
【００７５】
さらに、必要な項目が設定されていると判断した場合、設定情報確認部３３は、設定された値又は文字列が適切な値又は文字列か否かの判断を行う。例えば、オプション構成情報に、オプション機能ごとの適切な設定値や設定文字列を含ませておき、設定情報確認部３３は、オプション構成情報に含まれている適切な設定値や設定文字列と、設定情報記憶部２２に記憶されている設定値や設定文字列とを比較し、設定情報記憶部２２に記憶されている設定値や設定文字列が適切な値や文字列か否かを判断する。
【００７６】
例えば、オプション構成情報に「Ｓｔｏｒａｇｅ  Ｃｏｍｍｉｔｍｅｎｔ機能」が含まれている場合、設定情報確認部３３は、そのオプション機能を実行するための項目である、「Ｓｔｏｒａｇｅ先のＡＥ  Ｔｉｔｌｅ」やポート番号等に設定された値や文字列が適切な値又は文字列か否かの判断を行う。そして、設定情報確認部３３は判断結果を表示部２３に送る。
【００７７】
（ステップＳ０６）
ステップＳ０６では、表示部２３に設定情報確認部３３から送られる情報を表示する。例えば「Ｓｔｏｒａｇｅ  Ｃｏｍｍｉｔｍｅｎｔ機能」の設定項目を確認した場合、図３に示すように、ネットワーク設定の確認結果として、ＩＰアドレス、Ｈｏｓｔ  Ｎａｍｅ、ＡＥ  Ｔｉｔｌｅ、及びＧａｔｅＷａｙなどの項目の確認結果が表示部２３に表示される。「Ｈｏｓｔ  Ｎａｍｅ」、「ＡＥ  Ｔｉｔｌｅ」及び「Ｇａｔｅｗａｙ」の項目については、設定情報確認部３３によって適切な値や文字列が設定されていると判断されているため、適切な設定を示す「レ」マークが表示部２３に表示される。一方、「ＩＰ  Ａｄｄｒｅｓｓ」の項目については、設定情報確認部３３によって設定されている値や文字列に誤りがあると判断されているため、「Ｆａｉｌ」マークが表示部２３に表示される。
【００７８】
さらに、表示部２３に、設定情報の確認結果としての総合結果を表示しても良い。この例では、「ＩＰ  Ａｄｄｒｅｓｓ」の設定に誤りがあるため、総合結果として「Ｆａｉｌ」と表示部２３に表示される。
【００７９】
また、表示部２３に、操作者（サービスマン）が次に行うべき操作内容や修正手順を表示しても良い。操作内容として、例えば「ＩＰ  Ａｄｄｒｅｓｓの再設定をしてください。」と表示する。操作者（サービスマン）は、この表示を参照することで、次に行うべき操作を容易に認識することが可能となる。
【００８０】
さらに、表示部２３に、詳細情報として、設定情報を確認した日時（発生時刻）や、設定に誤りがある場合の障害などを表示しても良い。
【００８１】
（ステップＳ０７、Ｓ０８）
そして、サービスマンが表示部２３に表示されている設定項目の確認結果を参照し（ステップＳ０７）、設定されるべき項目に問題があるか否かを判断する。例えば、必要な項目が設定されていないことを示す情報が表示されている場合や、設定値などに誤りが確認された項目が表示されている場合は、設定内容に問題があると判断する。
【００８２】
（ステップＳ０９）
設定されるべき項目が設定されていない場合や設定値などに誤りがある場合は（ステップＳ０８、Ｎｏ）、サービスマンは、未だ設定されていない項目に値や文字列を入力したり、誤って入力した設定値や文字列などを修正したりする。問題の設定が修正されると、ステップＳ０２からステップＳ０８の処理を行うことで、設定漏れの有無や、設定値や文字列の誤りの有無を確認する。
【００８３】
以上のように、必要な項目が設定されているか否かの判断や、適切な設定値や文字列が設定されているか否かの判断を、個々の医用診断装置１に追加されているオプション機能ごとに自動的に行うことで、操作者（サービスマン）による確認作業の負担を軽減することが可能となる。そのことにより、オプション機能ごとに必要な項目の設定ミスを防止することができ、医用診断装置１の動作不全を未然に防止することが可能となる。その結果、医用診断装置１におけるソフトウェアのアップデート作業を円滑に行うことが可能となる。つまり、病院ごとや医用診断装置ごとに異なるオプション機能が追加されている場合であっても、従来技術のように操作者が自ら煩雑な作業（設定項目の確認）を行う必要がないため、設定項目の確認ミスを防止することができる。
【００８４】
（ステップＳ１０）
オプション機能を実行するために設定すべき項目が設定されており、オプション機能を実行するために適切な設定値や文字列などが設定されている場合（ステップＳ０８、Ｙｅｓ）、試験プラン決定部３５は、オプション構成情報取得部３２によって取得されたオプション構成情報を検索キーとして試験プランデータベース３４を参照し、動作確認の試験として実施すべき試験プランを取得して試験プラン実行部３６に送る。
【００８５】
試験プランの１例について図２（ａ）を参照して説明する。例えば、オプション構成情報に「ＤＩＣＯＭ  ＫｉｔオプションＡ」が含まれている場合は、試験プラン決定部３５は、オプション構成情報（「ＤＩＣＯＭ  ＫｉｔオプションＡ」を示す情報）を検索キーとして、試験プランデータベース３４から「ＤＩＣＯＭ  ＫｉｔオプションＡ」用の試験プランを取得して試験プラン実行部３６に送る。「ＤＩＣＯＭ  ＫｉｔオプションＡ」については、ＤＩＣＯＭ規格の静止画をサポートしているため、試験プランには、ＤＩＣＯＭ規格の静止画をサポートしているか否かを確認するための動作とその手順（ワークフロー）が含まれている。
【００８６】
また、オプション構成情報に「ＤＩＣＯＭ  ＫｉｔオプションＢ」が含まれている場合は、試験プラン決定部３５は、オプション構成情報（「ＤＩＣＯＭ  ＫｉｔオプションＢ」を示す情報）を検索キーとして、試験プランデータベース３４から「ＤＩＣＯＭ  ＫｉｔオプションＢ」用の試験プランを取得して試験プラン実行部３６に送る。「ＤＩＣＯＭ  ＫｉｔオプションＢ」については、ＤＩＣＯＭ規格の静止画と動画をサポートしているため、試験プランには、ＤＩＣＯＭ規格の静止画と動画をサポートしているか否かを確認するための動作とその手順（ワークフロー）が含まれている。
【００８７】
（ステップＳ１１）
ステップＳ１１では、試験プラン実行部３６が、試験プラン決定部３５によって取得された試験プランを読み込んで、医用診断装置１の各部を制御して試験プランに含まれる動作を手順（ワークフロー）に従って医用診断装置１に実行させる。そして、試験プラン実行部３６は、動作が正常に実行されたか否かを判断し、その判断結果を表示部２３に送る。例えば、予め設定されたデータと、動作を実行したことで得られた出力値とを比較することで、動作が正常に実行されたか否かを判断する。
【００８８】
例えば、「ＤＩＣＯＭ  ＫｉｔオプションＡ」というオプション機能の動作確認を行う場合、実際にＤＩＣＯＭ規格の静止画をネットワーク経由で他の装置に転送する。そして、試験プラン実行部３６は、ＤＩＣＯＭ規格の静止画が正常に転送されたか否かを判断する。
【００８９】
（ステップＳ１２）
表示部２３は、試験プラン実行部３６から判断結果を示す情報を受けると、その判断結果を表示する。例えば、画像データの転送に関する機能について動作確認を行った場合、図３に示すように、転送が正常に行われたか否かを示すマークが表示部２３に表示される。
【００９０】
画像データを画像サーバに転送する機能については、静止画データ、ＤＩＣＯＭ動画データ及びＡＶＩ動画データの転送に失敗しているため、動作が正常に実行されなかったことを示す「Ｆａｉｌ」マークが表示部２３に表示される。一方、画像データをＣＤ−Ｒに転送する機能については、静止画データ、ＤＩＣＯＭ動画データ及びＡＶＩ動画データの転送に成功しているため、動作が正常に実行されたことを示す「レ」マークが表示部２３に表示される。
【００９１】
さらに、表示部２３に、動作確認の結果として総合結果を表示しても良い。図３に示す例においては、画像サーバへの画像データの転送に失敗しているため、総合結果として「Ｆａｉｌ」と表示部２３に表示される。
【００９２】
また、表示部２３に、操作者（サービスマン）が次に行うべき操作内容や修正手順を表示しても良い。図３に示す例では、画像サーバへの画像データの転送に失敗しているため、次に行うべき操作内容として「ＩＰ  Ａｄｄｒｅｓｓを再設定してください。」と表示部２３に表示される。操作者（サービスマン）は、この表示を参照することで、次に行うべき操作を容易に認識することができる。
【００９３】
さらに、表示部２３に、詳細情報として、動作確認を行った日時や、ある動作が正常に実行されないことによる障害について表示しても良い。
【００９４】
（ステップＳ１３、Ｓ１４）
そして、試験プラン実行部３６によって、試験プランに含まれる動作が正常に実行されたと判断された場合は（ステップＳ１３、Ｙｅｓ）、医用診断装置１の動作確認を終了する。一方、試験プラン実行部３６によって、試験プランに含まれる動作が正常に実行されなかったと判断された場合は（ステップＳ１３、Ｎｏ）、サービスマンは設定項目に入力されている値や文字列を修正する（ステップＳ１４）。そして、問題の設定が修正されると、ステップＳ０２以降の処理を実行することで、設定漏れの有無や、設定値や文字列の誤りの有無を確認し、さらに、オプション機能ごとの試験プランを実行することで医用診断装置１の動作確認を行う。
【００９５】
以上のように、各オプション機能に対応した試験プランを用意しておき、オプション構成情報に基づいて試験プランを取得し、その試験プランを実行することで個々の医用診断装置１に追加されているオプション機能に応じた動作確認を実行することが可能となる。これにより、操作者（サービスマン）による動作確認の作業の負担を軽減することができ、動作確認の検証ミスを防止し、医用診断装置１の動作不全を未然に防止することが可能となる。その結果、医用診断装置１におけるソフトウェアのアップデート作業を円滑に行うことが可能となる。つまり、病院ごとや医用診断装置ごとに異なるオプション機能が追加されている場合であっても、従来技術のように操作者が自ら煩雑な作業（動作確認）を行う必要がないため、動作確認の検証ミスを防止することができる。
【００９６】
［第２の実施の形態］
（構成）
この発明の第２の実施形態に係る医用診断装置の動作確認支援システムの構成について、図５を参照して説明する。図５は、この発明の第２の実施形態に係る医用診断装置の動作確認支援システムの構成を示すブロック図である。
【００９７】
第２の実施形態に係る医用診断装置の動作確認支援システムは、医用診断装置１Ａとサービスセンタ４Ａとで構成されている。医用診断装置１Ａとサービスセンタ４Ａとはネットワークを介して接続されている。図中、サービスセンタ４Ａには１つの医用診断装置１Ａのみが接続されているが、複数の医用診断装置が接続されていても良い。なお、サービスセンタ４Ａがこの発明の「試験プラン配信センタ」に相当する。
【００９８】
上述した第１の実施形態では医用診断装置１内に動作確認部３が設置されているが、この第２の実施形態ではサービスセンタ４Ａ内に動作確認部３Ａが設置され、ネットワークを介して医用診断装置１Ａの設定項目の確認、及び、動作確認用の試験プランの配信を行う。
【００９９】
第２の実施形態に係る医用診断装置１Ａは、第１の実施形態に係る医用診断装置１と同様に、装置情報記憶部２１、装置設定情報記憶部２２、及び表示部２３を備えている。さらに医用診断装置１Ａは、試験プラン実行部２４を備えている。この試験プラン実行部２４は、第１の実施形態に係る試験プラン実行部３６と同じ機能を有する。
【０１００】
また、動作確認部３Ａは、第１の実施形態における動作確認部３と同様に、装置ＩＤ取得部３１、オプション構成取得部３２、設定情報確認部３３、試験プランデータベース３４、及び試験プラン決定部３５を備えている。さらに動作確認部３Ａは、試験プラン配信部３７を備えている。また、サービスセンタ４Ａには、第１の実施形態と同様に、オプション構成情報データベース４１が備えられている。
【０１０１】
装置ＩＤ取得部３１は、ネットワークを介して医用診断装置１Ａ内の装置情報記憶部２１にアクセスして装置識別情報を取得し、オプション構成情報取得部３２に送る。
【０１０２】
オプション構成情報取得部３２は、装置識別情報を検索キーとしてサービスセンタ４Ａ内に設定されているオプション構成情報データベース４１を検索し、オプション構成情報を取得する。
【０１０３】
設定情報確認部３３は、オプション構成情報を参照して医用診断装置１に設定すべき項目を確認し、ネットワークを介して医用診断装置１Ａ内の装置設定情報記憶部２２にアクセスして必要な項目が設定されているか否かを判断する。さらに、必要な項目が設定されている場合は、設定情報確認部３３は、ネットワークを介して装置設定情報記憶部２２にアクセスして、設定された値又は文字列が適切な値又は文字列か否かの判断を行う。そして、設定情報確認部３３は、判断結果をネットワーク経由で医用診断装置１Ａの表示部２３に送る。
【０１０４】
試験プラン決定部３５は、試験プランデータベース３４からオプション構成情報に対応した試験プランを取得して試験プラン配信部３７に送る。
【０１０５】
試験プラン配信部３７は、試験プラン決定部３５によって取得された試験プランを、ネットワーク経由で医用診断装置１Ａ内の試験プラン実行部２４に送信する。
【０１０６】
試験プラン実行部２４は、サービスセンタ４Ａの試験プラン配信部３７から送信された試験プランを受信し、医用診断装置１Ａの各部を制御して試験プランに含まれる動作を手順（ワークフロー）に従って医用診断装置１に実行させる。また、試験プラン実行部２４は、第１の実施形態に係る試験プラン実行部３６と同様に、試験プランに含まれる動作が正常に実行されたか否かを判断し、その判断結果を表示部２３に送る。
【０１０７】
以上のように、必要な項目が設定されているか否かの判断や、適切な設定値や文字列が設定されているか否かの判断をネットワーク経由で行っても、個々の医用診断装置１のオプション機能ごとに必要な項目の設定ミスを防止することができ、医用診断装置１Ａの動作不全を未然に防止することが可能となる。これにより、ネットワークを介した遠隔操作によって医用診断装置１Ａにおける設定内容を確認して、オプション機能の設定ミスを防止することが可能となる。
【０１０８】
また、各オプション機能に対応した試験プランを用意しておき、サービスセンタ４Ａがオプション構成情報に基づいて試験プランを医用診断装置１Ａに配信することで、個々の医用診断装置１Ａに追加されているオプション機能に応じた動作確認を実行することが可能となる。これにより、操作者（サービスマン）による動作確認の作業の負担を軽減することができ、医用診断装置１Ａの動作確認のミスを防止し、医用診断装置１Ａの動作不全を未然に防止することが可能となる。
【０１０９】
以上により、医用診断装置１Ａにおけるソフトウェアのアップデート作業を円滑に行うことが可能となる。つまり、病院ごとや医用診断装置ごとに異なるオプション機能が追加されている場合であっても、従来技術のように操作者が自ら煩雑な作業（設定項目の確認や動作確認）を行う必要がないため、設定項目の確認ミス、及び動作確認の検証ミスを防止することができる。
【図面の簡単な説明】
【０１１０】
【図１】この発明の第１の実施形態に係る医用診断装置の構成を示すブロック図である。
【図２】オプション機能ごとに確認すべき動作の１例を示す図である。
【図３】表示部に表示される画面の１例を示す図である。
【図４】この発明の第１の実施形態に係る医用診断装置の一連の動作を示すフローチャートである。
【図５】この発明の第２の実施形態に係る医用診断装置の動作確認支援システムの構成を示すブロック図である。
【符号の説明】
【０１１１】
１、１Ａ  医用診断装置
２  医用診断部
３、３Ａ  動作確認部
４、４Ａ  サービスセンタ
２１  装置情報記憶部
２２  装置設定情報記憶部
２３  表示部
２４、３６  試験プラン実行部
３１  装置ＩＤ取得部
３２  オプション構成情報取得部
３３  設定情報確認部
３４  試験プランデータベース
３５  試験プラン決定部
３７  試験プラン配信部
４１  オプション構成情報データベース
【図１】
2007213119.tif 000003
【図２】
2007213119.tif 000004
【図３】
2007213119.tif 000005
【図４】
2007213119.tif 000006
【図５】
2007213119.tif 000007